(57)【要約】【課題】  汚濁液を処理するのに、化学凝集剤等の化学的作用を用いることなく、濾過作用等の物理的作用により汚濁液中の固体微粒子分を除去する汚濁液連続処理方法及び処理システムを提供することである。【解決手段】  汚濁液を濾過装置で濾過し、固体微粒子分を除去して汚濁液を清澄化させる汚濁液連続処理方法において、汚濁液槽の汚濁液を吸引ポンプで濾過装置から濾過液槽へ吸引させることによって濾過装置で濾過する、濾過工程と、逆洗ポンプで濾過液槽の濾過液を濾過装置へ逆送して、濾過装置のフィルタに付着したスラッジを剥離、飛散させる逆洗工程と、  逆洗工程で剥離、飛散したスラッジが自重で汚濁液槽底部に置いたベルト上に沈殿する沈澱工程と、  汚濁液槽底部に設置したベルト上に沈殿した沈澱物を、ベルトコンベア式の沈澱物排出装置により排出する排出工程と、を含み、濾過工程、沈澱工程及び排出工程を同時に行いながら濾過工程を休止させて逆洗工程を行なう工程を繰り返すことを特徴とする汚濁液連続処理方法。【選択図】  図3
2007275721.tif 000002
【特許請求の範囲】
【請求項１】
汚濁液を濾過装置で濾過し、固体微粒子分を除去して汚濁液を清澄化させる汚濁液連続処理方法において、汚濁液槽の汚濁液を吸引ポンプで濾過装置から濾過液槽へ吸引させることによって濾過装置で濾過する、濾過工程と、
逆洗ポンプで濾過液槽の濾過液を濾過装置へ逆送して、濾過装置のフィルタに付着したスラッジを剥離、飛散させる逆洗工程と、
逆洗工程で剥離、飛散したスラッジが自重で汚濁液槽底部に置いたベルト上に沈殿する沈澱工程と、
汚濁液槽底部に設置したベルト上に沈殿した沈澱物を、ベルトコンベア式の沈澱物排出装置により排出する排出工程と、
を含み、濾過工程、沈澱工程及び排出工程を同時に行いながら濾過工程を休止させて逆洗工程を行なう工程を繰り返すことを特徴とする汚濁液連続処理方法。
【請求項２】
下記の（１）式を具備する条件下で、濾過工程、沈澱工程及び排出工程を同時に行いながら濾過工程を休止させて逆洗工程を行なう工程を繰り返すことを特徴とする請求項１に記載の汚濁液連続処理方法。
ＫＴ＝ΔＴＲ／ΔＴＡ＜０．１            ……（１）式
ここに、
ＫＴ：逆洗工程時間／濾過工程の比
ΔＴＲ：逆洗工程を行なう時間（分）
ΔＴＯ：濾過工程を行う時間（分）
ΔＴＡ：ΔＴＯ＋ΔＴＲ（分）
【請求項３】
濾過装置のフィルタがプリーツフィルタであることを特徴とする請求項１〜２の何れかに記載の汚濁液連続処理方法。
【請求項４】
濾過工程が、汚濁液を濾過装置のプリーツフィルタで濾過し、吸引ポンプと濾過液管により濾過液槽に吸引して貯留し、濾過液槽から溢れた濾過液は仕切板を越えて汚濁液槽に落下し、汚濁液に混入される濾過工程であることを特徴とする請求項１〜３の何れかに記載の汚濁液連続処理方法。
【請求項５】
逆洗パイプと逆洗ポンプからなる逆洗ラインを通じて濾過液槽の濾過液を濾過装置へ供給して、濾過装置のプリーツフィルタに付着したスラッジを剥離、飛散させる逆洗工程であることを特徴とする請求項１〜４の何れかに記載の汚濁液連続処理方法。
【請求項６】
空気逆洗パイプとコンプレッサからなる空気逆洗ラインを通じて圧縮空気を濾過装置へ供給して、濾過装置のプリーツフィルタに付着したスラッジを剥離、飛散させる逆洗工程からなることを特徴とする請求項１〜５の何れかに記載の汚濁液連続処理方法。
【請求項７】
汚濁液を濾過装置で濾過し、固体微粒子分を除去して汚濁液を清澄化させる汚濁液連続処理システムにおいて、
濾過液槽と汚濁液槽とは、供給パイプと供給ポンプからなる供給ラインを通じて接続されており、
濾過液槽と濾過装置とは、濾過液管と吸引ポンプからなる濾過ラインを通じて接続されており、
濾過液槽と濾過装置とは、逆洗パイプと逆洗ポンプからなる逆洗ラインを通じて接続されており、
汚濁液槽底部にベルトを配置して、ベルト上に沈殿した沈澱物を系外に排出するためのベルトコンベア式の沈澱物排出装置からなることを特徴とする汚濁液連続処理システム。
【請求項８】
前記濾過装置が、紙、繊維又は金属からなる弾性素材からなり、プリーツの内外の折り目がそれぞれ周方向にそって並ぶように全体として筒状に形成されているプリーツフィルタと、当該プリーツフィルタの両端部がそれぞれ所定深さだけ埋め込まれ、かつ同端部と一体的に固定されている一対の弾性材製端板とを備えた濾過装置であることを特徴とする、請求項７記載の汚濁液連続処理システム。
【請求項９】
前記濾過装置の両端板が、それぞれのプリーツフィルタのなす筒状の周方向に沿って環状に形成されており、両端板がそれぞれ嵌め入れた一対の対向状環状保持溝が形成された装置本体を備えていることを特徴とする、請求項７〜８の何れかに記載の汚濁液連続処理システム。
【請求項１０】
前記濾過装置は、装置本体がプリーツフィルタの内側の折り目を当接させた外周面をもった内筒体を有しており、内筒体の外周面に環状連絡通路が形成されており、連絡通路と連通させられるように内筒体に濾過液管が配管されていることを特徴とする、請求項７〜９の何れかに記載の汚濁液連続処理システム。
【請求項１１】
前記濾過装置には、連絡通路と連通させられるように内筒体に空気逆洗パイプが配管されていることを特徴とする、請求項７〜１１の何れかに記載の汚濁液連続処理システム。
【請求項１２】
前記排出装置は、汚濁液槽の内外にわたって巻回され、かつ汚濁液槽内で沈澱物を受止め得るように配置されたベルトを有しているコンベアと、汚濁液槽外でベルト搬送面に付着した沈澱物を掻き取るスクレーパブレードとを備えたコンベア装置であることを特徴とする、請求項７〜１１の何れかに記載の汚濁液連続処理システム。
【請求項１３】
前記コンベア装置には、ベルトの搬送面に複数の桟がベルト移動方向に一定間隔で設けられており、ブレードがベルトの搬送面に押圧される掻取位置と、ブレードが桟移動経路から退去させられる退去位置との間を移動し得るようにブレードを支持している支持手段を備えていることを特徴とする、請求項７〜１２の何れかに記載の汚濁液連続処理システム。
【請求項１４】
前記支持手段が、先端にブレードが取り付けられかつベルトの移動に伴う桟の押動により揺動させられるように配置されたアームを備えていることを特徴とする、請求項７〜１３の何れかに記載の汚濁液連続処理システム。
【請求項１５】
前記ブレードが、移動経路と交差する方向に伸びた帯板状に形成されており、アームが、ブレードが渡されかつベルトを両側から挟んでいる一対のアーム部材を備えていることを特徴とする、請求項７〜１４の何れかに記載の汚濁液連続処理システム。
【請求項１６】
前記ブレードが、下向き移動経路におけるベルト搬送面に押圧されるようにアーム部材が配置され、アーム部材が側方より見て略水平姿勢をなしていることを特徴とする、請求項７〜１５の何れかに記載の汚濁液連続処理システム。
【請求項１７】
前記コンベアが、ベルトを０．５ｍ／ｍｉｎ以下の速度で移動させる駆動手段を備えている請求項７〜１６の何れかに記載の汚濁液連続処理システム。
【発明の詳細な説明】
【技術分野】
【０００１】
本発明は、汚濁液連続処理方法及び処理システムに関する。より詳しくは、例えば工作機械等の切削液等を汚濁液槽に供給し、該汚濁液槽内の濾過装置でスラッジ等を除去して清澄液化し、濾過液槽内に流入させ、逆洗ポンプで工作機械等の切削液として繰り返し使用すると共に、汚濁液槽内底部の沈澱物（堆積物）は、コンベア装置を介して汚濁液槽外に搬出する、汚濁液連続処理方法及び処理システムに関する。
【背景技術】
【０００２】
工作機械等の切削液処理システム及び処理方法に関係する従来技術として、例えば、特許２９０４３３４が開示されている。これは、工作機械から排出される切屑及びクーラントを受ける汚濁液槽と、高い位置にある切屑投棄口との間でスクレーパコンベアを周回させ、沈下している切屑を掻き上げて切屑投棄口から投棄すると共に、スクレーパコンベアの内部空間に設けられたドラムフィルタによってクーラント濾過し、濾過されたクーラントを濾過液槽に貯留するものである。スクレーパコンベアを周回駆動するチェーンがドラムフィルタのスプロケットにも噛合し、共通のモータでスクレーパコンベアとドラムフィルタの両者を略同一の周回速度、又はドラムフィルタよりスクレーパコンベアの方が大きな周回速度になるように駆動している。また汚濁液槽の外周に濾過液槽が設けられ、ドラムフィルタの中心部両側から濾過されたクーラントが単純に濾過液槽に流入し貯留される構造である。さらにドラムフィルタ両側と汚濁液槽の側壁との間からドラムフィルタ内へ汚濁液が侵入しないように設けられているＶシールは消耗品であり、このＶシールを交換するためには、ドラムフィルタを濾過装置本体から取り外さなければならない構造である。
【０００３】
また切削液濾過装置の従来技術として、特開２０００−３００９１４がある。これは、工作機械から排出される切屑とクーラントをまずヒンジコンベアで受け、サイズの大きな切屑をヒンジコンベアで搬出、投棄する。ヒンジコンベアを通過したサイズの小さな切屑をヒンジコンベアの下方に設けたスクレーパコンベアで捕捉して掻き上げるとともに、スクレーパコンベアの内部空間に設けられ、スクレーパコンベアと共通のモータで略同一の周回速度で回転駆動されるドラムフィルタにより濾過し、浄化されたクーラントを得るようにしている。
【０００４】
汚濁液槽内でスクレーパコンベアの周回速度が速いと、撹拌作用で切屑が沈下し難かったたり、周回中に掻き上げた切り屑がスクレーパから液中に浮遊してしまったりして切り屑の回収効率が悪い。また切り屑と一緒に掻き上げたクーラントは、重力で汚濁液槽に流下する前に投棄されることになり、クーラントの無駄が発生する。したがって、スクレーパコンベアの周回速度はできる限り遅い方が一般には好ましい。一方、ドラムフィルタの周回速度は、逆洗されて透過率の大きくなったフィルタ部分で常に濾過される方が濾過効率は良いので、遅くできない。したがって、スクレーパコンベアとドラムフィルタを略同一の周回速度、又はドラムフィルタよりスクレーパコンベアの方が大きな周回速度になるように駆動することは問題がある。
【０００５】
ドラムフィルタで濾過されたクーラントでも、フィルタ目より細かい微細な切粉等を含んでおり、その切粉は、濾過液槽にヘドロ状に沈澱、堆積するので定期的に清掃しなければならない。汚濁液槽の外周に濾過液槽を設けたタイプでは、濾過液槽全体に微細な切粉がヘドロ状に溜まり、清掃作業の面積が広く、清掃に時間がかかるという問題点がある。また上述のようにＶシールは消耗品であり、定期的に交換する必要がある。交換時にはドラムフィルタを濾過装置本体から外さなければならない構造をしているので、作業が煩雑となり、時間が掛かり過ぎるという問題点がある。
【特許文献１】特許第２９０４３３４号公報
【特許文献２】特許公開２０００−３００９１４号公報
【発明の開示】
【発明が解決しようとする課題】
【０００６】
本発明が解決しようとする課題は、汚濁液を処理するのに、化学凝集剤等の化学的作用を用いることなく、濾過作用等の物理的作用により汚濁液中の固体微粒子分を除去する汚濁液連続処理方法及び処理システムを提供することにある。
さらに、本発明が解決しようとする課題は、濾過効率及び逆洗効率の高い耐久性ある濾過装置を提供すると共に、汚濁液槽底部の沈澱物排出作業を、連続かつ円滑に行う、汚濁液連続処理方法及び処理システムを提供することにある。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
【課題を解決するための手段】
【０００７】
本発明者は、上記従来技術の問題点に鑑み鋭意研究を重ねて、上記の課題を解決するために以下のような本発明を完成させた。
ここでは、本願明細書、特に各請求項記載発明に用いられる用語の解釈上の疑義を解消すべく、以下用語について説明する。
［用語の説明］
○汚濁液とは、浮遊する固体微粒子分を含有して汚れて濁った液体をいう。例えば、工作機械等の切削液、工場排水等が例示される。
○汚濁液槽とは、汚濁液中の固体微粒子分を濾過し、沈殿させるための槽をいう。本願明細書では、濾過沈殿槽ともいう。汚濁液槽には、濾過装置、ベルトコンベア式の沈澱物排出手段が設置され、ベルトコンベア式の沈澱物排出手段の構成要素であるベルトが、沈殿物を沈殿・載荷すべく汚濁液槽の底部に設置される。
○濾過液とは、汚濁液を濾過装置のフィルタを通して固体微粒子分の一部を除去した液をいう。濾過装置のフィルタを通った濾過液は、濾過液槽へ還流される場合がある。
○清澄化とは、汚濁液を濾過装置のフィルタを通して固体微粒子分を一部除去することをいう。すなわち、汚濁液は、濾過装置を通ることによって清澄化されて濾過液となる。
○供給ラインは、供給パイプと供給ポンプから構成される。供給ラインは、汚濁液を汚濁液槽へ供給するために用いられる。
○濾過装置とは、汚濁液を濾過装置へ供給して、濾過装置のフィルタを通すことによって、浮遊する固体微粒子分を一部除去して正常化するための装置をいう。
○濾過ラインとは、濾過液管と吸引ポンプからなる。濾過ラインは、汚濁液槽内の汚濁液を濾過装置から濾過液槽に吸引させるために用いられる。
○濾過液槽とは、具体的には、処理対称の汚濁液を貯蔵した汚濁槽である。
○逆洗ラインとは、逆洗パイプと逆洗ポンプからなる。逆洗ラインは、濾過液槽の汚濁液を濾過装置へ供給して、濾過装置のフィルタに付着したスラッジを剥離、飛散させる（逆洗工程）のために用いられる。
○ベルトコンベア式の沈澱物排出手段とは、汚濁液槽底部に設置したベルト上に沈殿した沈澱物（逆洗工程で剥離、飛散したスラッジが自重で汚濁液槽底部に置いたベルト上に沈殿したもの）を、ベルトよって汚濁液槽外に排出するために用いられる沈澱物排出手段をいう。
○ベルトとは、沈澱物排出手段の構成要素であって、汚濁液槽底部に設置して、逆洗工程で剥離、飛散したスラッジを自重でベルト上に沈殿させ、沈殿物を汚濁液槽外に排出するために用いられる。
○スラッジとは、本願明細書においては、固体微粒子分が凝集して固形化したものをいう。
○汚濁液連続処理システムとは、汚濁液を濾過装置で濾過し、固体微粒子分を除去しつつ濾過液を循環して清澄化させる汚濁液連続処理システムであって、供給ライン、濾過ライン、逆洗ライン、汚濁液槽、濾過装置、ベルト、ベルトコンベア式の沈澱物排出手段からなる。
○スラッジを剥離、飛散させるメカニズム
濾過工程において、フィルタに徐々に付着堆積したスラッジを剥離、飛散させるメカニズムについて、フィルタがプリーツフィルタの場合を例にとって以下説明する（図７を参照のこと）。濾過工程においてＦ方向に流れていた汚濁液の流れを、逆洗工程においてはＲ方向に流れる濾過液の流れに切り換える。すると、逆洗によりプリーツフィルタは外側にタイコ上に膨らみ、それと同時に、図７のように、プリーツフィルタ間隔が拡がり、プリーツフィルタの付着物を剥離するように働く。
そして、逆洗工程における圧力を大きくして、（１）式で与えられるＫＴの値を１より大きくすることにより、フィルタ面に作用する前後に作用する平均圧力を大きくして、プリーツフィルタの谷側（特に、谷底）に付着しているスラッジを、円滑かつ確実に剥離、飛散させることが可能となる。
こうすることにより、逆洗ポンプを作動させ濾過液を、一気に濾過装置内に吐出してプリーツフィルタの付着物Ｓを剥離、飛散させた状態を図７は示し、プリーツフィルタは、濾過時は吸引力Ｆにより縮小されているが、逆洗工程時は逆洗ポンプの高圧な膨張力Ｒにより、プリーツフィルタの付着物は剥離、飛散し、逆洗作業は終了し、再び吸引ポンプ８を作動させて循環濾過作業は継続されると共に、剥離、飛散した付着物Ｓは、汚濁液槽２の底部に沈澱することとなる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
発明者は、上記の課題を解決するため、鋭意研究をして、課題を解決するための手段を想到した。
課題を解決するための手段は、本願の特許請求の範囲に記載の各請求項記載の発明である。具体的には、以下の発明である。
ここに、請求項１記載の発明は、発明１に該当し、請求項２記載の発明は、発明２に該当し、請求項３記載の発明は、発明３に該当し、…請求項ｉ記載の発明は、発明ｉに該当するものとする。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
発明１は、汚濁液を濾過装置で濾過し、固体微粒子分を除去して汚濁液を清澄化させる汚濁液連続処理方法において、汚濁液槽の汚濁液を吸引ポンプで濾過装置から濾過液槽へ吸引させることによって濾過装置で濾過する、濾過工程と、
逆洗ポンプで濾過液槽の濾過液を濾過装置へ逆送して、濾過装置のフィルタに付着したスラッジを剥離、飛散させる逆洗工程と、
逆洗工程で剥離、飛散したスラッジが自重で汚濁液槽底部に置いたベルト上に沈殿する沈澱工程と、
汚濁液槽底部に設置したベルト上に沈殿した沈澱物を、ベルトコンベア式の沈澱物排出装置により排出する排出工程と、
を含み、濾過工程、沈澱工程及び排出工程を同時に行いながら濾過工程を休止させて逆洗工程を行なう工程を繰り返すことを特徴とする汚濁液連続処理方法である。
【０００８】
発明２は、下記の（１）式を具備する条件下で、濾過工程、沈澱工程及び排出工程を同時に行いながら濾過工程を休止させて逆洗工程を行なう工程を繰り返すことを特徴とする発明１に記載の汚濁液連続処理方法である。
ＫＴ＝ΔＴＲ／ΔＴＡ＜０．１            ……（１）式
ここに、
ＫＴ：逆洗工程時間／濾過工程の比
ΔＴＲ：逆洗工程を行なう時間（分）
ΔＴＯ：濾過工程を行う時間（分）
ΔＴＡ：ΔＴＯ＋ΔＴＲ（分）
【０００９】
発明３は、濾過装置のフィルタがプリーツフィルタであることを特徴とする発明１〜２の何れかに記載の汚濁液連続処理方法である。
【００１０】
発明４は、濾過工程が、汚濁液を濾過装置のプリーツフィルタで濾過し、吸引ポンプと濾過液管により濾過液槽に吸引して貯留し、濾過液槽から溢れた濾過液は仕切板を越えて汚濁液槽に落下し、汚濁液に混入される濾過工程であることを特徴とする発明１〜３の何れかに記載の汚濁液連続処理方法である。
【００１１】
発明５は、逆洗パイプと逆洗ポンプからなる逆洗ラインを通じて濾過液槽の濾過液を濾過装置へ供給して、濾過装置のフィルタに付着したスラッジを剥離、飛散させる逆洗工程であることを特徴とする発明１〜４の何れかに記載の汚濁液連続処理方法である。
【００１２】
発明６は、空気逆洗パイプとコンプレッサからなる空気逆洗ラインを通じて圧縮空気を濾過装置へ供給して、濾過装置のプリーツフィルタに付着したスラッジを剥離、飛散させる逆洗工程からなることを特徴とする発明１〜５の何れかに記載の汚濁液連続処理方法である。
【００１３】
発明７は、汚濁液を濾過装置で濾過し、固体微粒子分を除去して汚濁液を清澄化させる汚濁液連続処理システムにおいて、
濾過液槽と汚濁液槽とは、供給パイプと供給ポンプからなる供給ラインを通じて接続されており、
濾過液槽と濾過装置とは、濾過液管と吸引ポンプからなる濾過ラインを通じて接続されており、
濾過液槽と濾過装置とは、逆洗パイプと逆洗ポンプからなる逆洗ラインを通じて接合されており、
汚濁液槽底部にベルトを配置して、ベルト上に沈殿した沈澱物を系外に排出するためのベルトコンベア式の沈澱物排出装置からなることを特徴とする汚濁液連続処理システムである。
【００１４】
発明８は、前記濾過装置が、紙、繊維又は金属からなる弾性素材からなり、プリーツの内外の折り目がそれぞれ周方向にそって並ぶように全体として筒状に形成されているプリーツフィルタと、当該プリーツフィルタの両端部がそれぞれ所定深さだけ埋め込まれ、かつ同端部と一体的に固定されている一対の弾性材製端板とを備えた濾過装置であることを特徴とする、発明７記載の汚濁液連続処理システムである。
【００１５】
発明９は、前記濾過装置の両端板が、それぞれのプリーツフィルタのなす筒状の周方向に沿って環状に形成されており、両端板がそれぞれ嵌め入れた一対の対向状環状保持溝が形成された装置本体を備えていることを特徴とする、発明７〜８に記載の汚濁液連続処理システムである。
【００１６】
発明１０は、前記濾過装置は、装置本体がプリーツフィルタの内側の折り目を当接させた外周面をもった内筒体を有しており、内筒体の外周面に環状連絡通路が形成されており、連絡通路と連通させられるように内筒体に濾過液管が配管されていることを特徴とする、発明７〜９の何れかに記載の汚濁液連続処理システムである。
【００１７】
発明１１は、前記濾過装置には、連絡通路と連通させられるように内筒体に空気逆洗パイプが配管されていることを特徴とする、発明７〜１０の何れかに記載の汚濁液連続処理システムである。
【００１８】
発明１２は、前記排出装置は、汚濁液槽の内外にわたって巻回され、かつ汚濁液槽内で沈澱物を受止め得るように配置されたベルトを有しているコンベアと、汚濁液槽外でベルト搬送面に付着した沈澱物を掻き取るスクレーパブレードとを備えたコンベア装置であることを特徴とする、発明７〜１１の何れかに記載の汚濁液連続処理システムである。
【００１９】
発明１３は、前記コンベア装置には、ベルトの搬送面に複数の桟がベルト移動方向に一定間隔で設けられており、ブレードがベルトの搬送面に押圧される掻取位置と、ブレードが桟移動経路から退去させられる退去位置との間を移動し得るようにブレードを支持している支持手段を備えていることを特徴とする、発明７〜１２の何れかに記載の汚濁液連続処理システムである。
【００２０】
発明１４は、前記支持手段が、先端にブレードが取り付けられかつベルトの移動に伴う桟の押動により揺動させられるように配置されたアームを備えていることを特徴とする、発明７〜１３の何れかに記載の汚濁液連続処理システムである。
【００２１】
発明１５は、前記ブレードが、移動経路と交差する方向に伸びた帯板状に形成されており、アームが、ブレードが渡されかつベルトを両側から挟んでいる一対のアーム部材を備えていることを特徴とする、発明７〜１４の何れかに記載の汚濁液連続処理システムである。
【００２２】
発明１６は、前記ブレードが、下向き移動経路におけるベルト搬送面に押圧されるようにアーム部材が配置され、アーム部材が側方より見て略水平姿勢をなしていることを特徴とする、発明７〜１５の何れかに記載の汚濁液連続処理システムである。
【００２３】
発明１７は、前記コンベアが、ベルトを０．５ｍ／ｍｉｎ以下の速度で移動させる駆動手段を備えている発明７〜１６の何れかに記載の汚濁液連続処理システムである。
【発明の効果】
【００２４】
発明１によれば、汚濁液を濾過装置で濾過し、固体微粒子分を除去して汚濁液を清澄化させる汚濁液連続処理方法において、汚濁液槽の汚濁液を吸引ポンプで濾過装置から濾過液槽へ吸引させることによって濾過装置で濾過する、濾過工程と、
逆洗ポンプで濾過液槽の濾過液を濾過装置へ逆送して、濾過装置のフィルタに付着したスラッジを剥離、飛散させる逆洗工程と、
逆洗工程で剥離、飛散したスラッジが自重で汚濁液槽底部に置いたベルト上に沈殿する沈澱工程と、
汚濁液槽底部に設置したベルト上に沈殿した沈澱物を、ベルトコンベア式の沈澱物排出装置により排出する排出工程と、
を組み合わせることにより、汚濁液を処理するのに、化学凝集剤等の化学的作用を用いることなく、濾過作用等の物理的作用により汚濁液中の固体微粒子分を除去する汚濁液連続処理方法及び処理システムを提供することができた。
発明２によれば、ＫＴ：逆洗工程時間／濾過工程の比を０．１（あるいは０．０１、あるいは０．００１）未満にすることで、殆どの時間を濾過工程の時間に当てても、フィルタの目詰まりを防いで濾過効率を低下させることなく、濾過効率を高く保つことが可能となった。
発明３によれば、プリーツフィルタを用いることで、濾過工程の際にフィルタに付着したスラッジを、逆洗工程を導入して、逆洗工程時にタイコ上にプリーツフィルタを膨らませることにより、スラッジを、円滑かつ確実に、剥離、飛散させることが可能となる（図７を参照、）。
また一方、逆洗工程時に作用するプリーツフィルタの外周に作用する圧力により、周囲にタイコ状に膨れる程に大きな力が掛かり、プリーツフィルタの外周部に大きな応力集中が作用する。したがって、従来は、逆洗工程時に作用するプリーツフィルタに作用する圧力を大きくすることができなかった。
しかし、本発明では、プリーツフィルタを保持する端板を設置し、装置本体との連結を、保持溝を保持して、すなわち遊びを保持して、さらに、端板が弾性材製である構造とすることにより、発明２、あるいは発明３を完成させることが可能となった。
発明４は、発明１〜３の何れかの発明において、より具体的に濾過ラインと供給ラインの構成要件を特定し、貯留された濾過液槽からの溢れた濾過液は、仕切板を越えて汚濁液槽に落下して汚濁液に混合し、当該汚濁液は希釈されるので、プリーツフィルタによる濾過作業が、円滑かつ効率よく行われる。
発明５は、発明１〜４の何れかの発明において、逆洗ラインを具体的特定することにより、逆洗工程を行なうことにより、濾過工程においてプリーツフィルタに徐々に付着堆積したスラッジを剥離、飛散させて汚濁槽底部に沈殿させて汚濁槽外に排出することができることになった。
発明６によれば、万が一、逆洗工程によって、プリーツフィルタに徐々に付着したスラッジを剥離、飛散させることができない場合であっても、空気逆洗パイプとコンプレッサからなる空気逆洗ラインを通じて圧縮空気を濾過装置へ供給して、濾過装置のプリーツフィルタに付着したスラッジを剥離、飛散させることができるので、プリーツフィルタを目詰まりさせることなく濾過効率を長期間高く維持することができるという当業者予測不可能な顕著な効果を発揮することができる。
【００２５】
発明７によれば、濾過液槽と汚濁液槽とは、供給パイプと供給ポンプからなる供給ラインを通じて接続され、濾過液槽と濾過装置とは、濾過液管と吸引ポンプからなる濾過ラインを通じて接続され、濾過液槽と濾過装置とは、逆洗パイプと逆洗ポンプからなる逆洗ラインを通じて接続されているので、汚濁液の濾過と濾過装置のプリーツフィルタの逆洗を、円滑かつ効率よく繰り返し行え、プリーツフィルタが長期に使用できる。また逆洗され、汚濁液槽底部に凝集された沈澱物の排出は、遅速のベルトコンベアで系外に連続かつ円滑に排出される。
【００２６】
発明８によれば、プリーツフィルタが紙、繊維又は金属からなる弾性素材からなるので、塵芥等がフィルタ内部まで侵入しないので、逆洗効果が大で、目詰まりの累積による閉塞が容易に解消される。またプリーツフィルタは筒状のプリーツを形成しているので、濾過面積を増大することができると共に、その強度も増強できる。またプリーツフィルタの両端部がそれぞれ端板に埋め込まれて固定されているからプリーツフィルタが端板から剥がれ難く、耐久性が良好で、かつ濾過効率及び逆洗効率を高めることができ、そのために、補強筒のようなものは不要となる。さらに端板が弾性材製であることにより、端板がシール部材として作用し、シール性が向上することに加えて、端板が内外両面から支えられることにより、プリーツフィルタの強度が向上させられる。
【００２７】
発明９によれば、濾過装置の両端板が、それぞれのプリーツフィルタのなす筒状の周方向に沿って環状に形成されており、両端板が弾性材製であることにより、端板がシール部材として作用し、シール性が向上することに加えて、端板が内外両面から支えられることにより、プリーツフィルタの強度がさらに向上させられる。
【００２８】
発明１０によれば、装置本体がプリーツフィルタの内側の折り目を当接させた外周面をもった内筒体を有しており、内筒体の外周面に環状連絡通路が形成されており、連絡通路と連通させられるように内筒体に濾過液管が配管されているので濾過の際は、プリーツフィルタが内筒体の連絡通路のない部分によって内側からしっかりと支えられるし、連絡通路によってプリーツフィルタの全体で濾過作用を行うことができる。  
【００２９】
発明１１によれば、濾過装置には、連絡通路と連通させられるように内筒体に空気逆洗パイプが配管されているので、連絡通路を通じて圧縮空気をプリーツフィルタに作用させることにより、プリーツフィルタの周囲に泡を発生させることができ、この泡がプリーツフィルタの目詰まり解消に極めて有効に作用する。
【００３０】
発明１２によれば、排出装置は、汚濁液槽の内外にわたって巻回され、かつ汚濁液槽内で沈澱物を受止め得るように配置されたベルト有しているコンベアと、汚濁液槽外でベルト搬送面に付着した沈澱物を掻き取るスクレーパブレードとを備えたコンベア装置であるから、汚濁液槽内においてベルトの上にスラッジ等を沈澱させ、ベルトによって沈澱物を汚濁液槽外まで搬送し、ベルト上の沈澱物をスクレーパブレードによって掻き取る。スラッジ等は時間が経てば自然に沈澱するので、液と混合しないように静かに取り出せば効率的に除去することができる。したがって、大きな費用を掛けず、人手もかけないで、作業を中断することなく、連続的に自動で含水率の低い沈澱物を排出することができる。
【００３１】
発明１３によれば、ベルトの搬送面に複数の桟がベルト移動方向に一定間隔で設けられており、ブレードがベルトの搬送面に押圧される掻取位置と、ブレードが桟移動経路から退去させられる退去位置との間を移動し得るようにブレードを支持している支持手段を備えているので、桟によって沈澱物を確実に搬送することができ、桟がブレードと緩衝することなく、桟をブレードは回避することができる。
【００３２】
発明１４によれば、支持手段が、先端にブレードが取り付けられかつベルトの移動に伴う桟の押動により揺動させられるように配置されたアームを備えているから、アームの揺動動作によって、回避動作をスムースに行うことができる。
【００３３】
発明１５によれば、ブレードが、移動経路と交差する方向に伸びた帯板状に形成されており、アームが、ブレードが渡されかつベルトを両側から挟んでいる一対のアーム部材を備えているから、回避動作を行うための構造をシンプルに構成することができる。
【００３４】
発明１６によれば、ブレードは、また下向き移動経路におけるベルト搬送面に押圧されるようにアーム部材が配置され、アーム部材が側方より見て略水平姿勢をなしているので、ブレードによる掻き取り動作を確実に行うことができる。
【００３５】
発明１７によれば、コンベアが、ベルトを０．５ｍ／ｍｉｎ以下の速度で移動させる駆動手段を備えているので、沈澱物をベルト上に確実に沈澱、集束させ汚濁液槽の槽外に排出することができる。
【発明を実施するための最良の形態】
【００３６】
以下、本発明に係る汚濁液連続処理方法及びシステムの好適な実施形態について、添付の図面を参照しながら詳細に説明する。図１は、汚濁液連続処理方法における工程を説明するフロー図、図２（ａ）、（ｂ）は、濾過工程及び逆洗工程における、供給ライン、濾過ライン及び逆洗ラインの概略説明図、図３は、本発明の実施形態に係る汚濁液連続処理システムの概略説明図、図４は、濾過装置の縦断面図、図５は、同一部を切欠した横断面図、図６は、同濾過装置の運転動作パターンの説明図、図７は、逆洗工程時におけるプリーツフィルタの動作説明図、図８は、変形例による濾過装置の図４相当の縦断面図、図９は、さらなる変形例による濾過装置の図８相当の縦断面図、図１０は、沈澱物排出装置の縦断面図、図１１は、図１０における１１−１１線横断面図、図１２は、排出装置におけるブレードによる掻き取り動作説明図である。
【００３７】
図１は、汚濁液連続処理方法における作動工程を示し、Ｓ１は、例えば、工作機械Ｍ等で使用された切削液（汚濁液）を、供給パイプで汚濁液槽に流入し、当該汚濁液を、汚濁液槽内の液面上部に配備された濾過装置で濾過し、吸引ポンプを作動させて濾過液槽に供給し、濾過液を供給ポンプで工作機械Ｍ等に供給する濾過工程で、Ｓ２は、濾過工程を休止した後、濾過装置のプリーツフィルタに付着した付着物を、逆洗ポンプを介して高水圧の濾過液を一気にプリーツフィルタに約５秒〜１０秒吹き付けてこれに付着したスラッジを剥離、飛散させる逆洗工程で、Ｓ３は、逆洗工程で剥離、飛散した付着物が自重で汚濁液槽底部に沈下する沈澱工程で、Ｓ４は、沈澱した汚濁液槽底部の沈澱物を、コンベアのベルトを０．５ｍ／ｍｉｎ以下の速度で緩やかに移動させて系外に排出する排出工程で、上記の濾過工程Ｓ１、逆洗工程Ｓ２、沈澱工程Ｓ３及び排出工程Ｓ４が、順次繰り返し連続的に行われる。
【００３８】
工作機械Ｍ等で使用された切削液等の汚濁液は、図２（ａ）に示すように、供給パイプ１３により汚濁液槽２に流入し、濾過装置６により濾過液となり、吸引ポンプ８から濾過液管１４、逆洗ポンプ５を経て供給ポンプ４に送られ、濾過液は再び工作機械Ｍ等で切削液等として使用され、使用後の汚濁液は供給パイプ１３により汚濁液槽２に流入する。上記した、供給パイプ１３→汚濁液槽２→濾過装置６→吸引ポンプ８→濾過液管１４→逆洗ポンプ５→供給ポンプ４→工作機械Ｍ→供給パイプ１３という一連の流れを濾過ラインとし、供給ポンプ４→工作機械Ｍ→供給パイプ１３を供給ラインとして、濾過工程Ｓ１は進められる。
【００３９】
逆洗ラインは、図２（ｂ）に示すように、逆洗ポンプ５と逆洗パイプ１４（濾過液管１４）、吸引ポンプ８からなり、逆洗工程においては、吸引ポンプ８の駆動を休止して、逆洗ポンプ５を作動し、濾過液槽１内の濾過液を高圧にして濾過液管１４→吸引ポンプ８→濾過装置６内に一気に吐出してプリーツフィルタ３２に付着しているスラッジ等を剥離、飛散させる。
【００４０】
図３に示す、汚濁液連続処理システムにおける処理液槽Ｔは、上方を開口した濾過液槽１、汚濁液槽２、仕切板３からなり、濾過液槽１内には、供給ポンプ４と逆洗ポンプ５を配備し、汚濁液槽２内には濾過装置６と沈澱物排出装置７を配設すると共に、両液槽外には吸引ポンプ８、制御盤９、コンプレッサ１０及び集塵ボックス１１を配設し、工作機械Ｍの一端には濾過液パイプ１２が供給ポンプ４から連通し、他端からは供給パイプ１３が汚濁液槽２に延設されている。また吸引ポンプ８には濾過装置６からの濾過液管１４が連通され、逆洗ポンプ５にも接続されている。１５は、濾過液管１４とプリーツフィルタ３２間に取り付けられた開閉弁、１６は、空気管２６に取り付けられた開閉弁である。
【００４１】
図４及び図５に示す濾過装置６は、装置本体３１とこれに保持されているプリーツフィルタ３２とを備え、装置本体３１は、垂直円筒状内筒体４１と、内筒体４１の上端面に着脱自在に取り付けられている水平リング状トップカバー４２と、内筒体４１の下端面に着脱自在に取り付けられている水平リング状ボトムカバー４３とを備えている。
【００４２】
内筒体４１外周面の高さの中程には環状連絡通路５１が設けられている。内筒体４１内の、連絡通路５１と略同じ高さのところには濾過液パイプ１４の入口端があり、濾過液パイプ１４の入口端は、個々より９０度の等間隔で半径方向外向きに伸びた４つの分岐パイプ５２によって連絡通路５１に接続されている。さらに分岐パイプ５２と略同じ高さの所に空気逆洗パイプ２６の出口端があり、これもまた連絡通路５１に接続されている。
【００４３】
トップカバー４２は、内筒体４１の上端面の全体を被覆しかつそこから半径方向外方に張出している。トップカバー４２の張出端には下向き折曲縁部６１が設けられている。内筒体４１の外周面上端部、トップカバー４２の張出部及び下向き折曲縁部６１によって、下向き保持溝６２が形成されている。ボトムカバー４３は、トップカバー４２の上下を逆にした構造をなすものであって、上向き折曲縁部６３を有している。そして下向き保持溝６２と同じように、内筒体４１の外周面下端部、ボトムカバー４３の張出部及び上向き折曲縁部６３によって、上向き保持溝６４が形成されている。
【００４４】
プリーツフィルタ３２は、紙、繊維、金属等の弾性素材にプリーツ加工を施すことによって製造されたものであって、プリーツの内外の折り目がそれぞれ周方向にそって並ぶように全体として筒状に形成されているものである。
【００４５】
プリーツフィルタ３２の上端部には上端板７１が、プリーツフィルタ３２の下端部には下端板７２がそれぞれ固着され、上端板７１は下向き保持溝６２に、下端板７２は上向き保持溝６４にそれぞれ嵌め入れられている。上端板７１及び下端板７２は、同一構造のものである。
【００４６】
プリーツフィルタ３２と両端板７１、７２の固着の仕方は、以下の通りである。端板７１、７２の材質としては、液状ゴム、または弾力を有する樹脂（ウレタンゴム、シリコンゴム等液状で流し込み可能なゴム）が採用される。筒状に成形したプリーツフィルタ３２の端部を、図示しない金型の端板７１、７２に相当するキャビティに挿入し、その状態でキャビティ内に上記の材料を流し込み固化させる。その結果、プリーツフィルタ３２の両端部がそれぞれ端板７１、７２にこれの厚みに相当する深さだけ埋め込まれかつ同端部と一体的に固定される。
【００４７】
つぎに、図６他を参照しながら、濾過装置６の運転制御を説明する。まず、運転開始にあたり、逆洗ポンプ５を作動させる。そうすると、濾過液槽１内の濾過液が、吸引ポンプ８を経由して一気に濾過装置６へ送られ、約５秒〜１０秒間でプリーツフィルタ３２が逆洗されて目詰まりが解消される。また、吸引ポンプ８内は洗浄液で満たされる。逆洗の際は、端板７１、７２の外側面が保持溝６２、６４の外側面に押圧され、これにより、同両外側面間のシール性が保証される。ついで、逆洗ポンプ５の作動を停止し、吸引ポンプ８を作動させる。そうすると、濾過液パイプ１４によって連絡通路５１内の濾過液が吸い上げられ、プリーツフィルタ３２の外側にある汚濁液がプリーツフィルタ３２を通過させられる。このときに、プリーツフィルタ３２の内側部分は、連絡通路５１のところだけしか解放されていないが、プリーツフィルタ３２のプリーツの内側の隣り合う折り目の間は、上下方向に一連に繋がっているため、プリーツフィルタ３２の高さ方向に全体を通じて液体は濾過される。濾過の際は、逆洗の際とは逆に、端板７１、７２の内側面が保持溝６２、６４の内側面に押圧され、これにより、同両内側面間のシール性が保証される。一定の濾過時間（約２０〜６０分）が経過すると、吸引ポンプ８を停止させ、逆洗ポンプ５を作動させて、吸引ポンプ８内の濾過液を、一気に濾過装置６内に吐出してプリーツフィルタ３２を逆洗する。なお、図１０に示すように、濾過装置６による汚濁液を濾過するとき、逆洗ポンプ５等の高水圧により、プリーツフィルタ３２全体は正面視、鼓のように変形し、逆洗の際には、逆に一気に濾過液をプリーツフィルタ３２全体に吐出するので、図１０の二点鎖線で示すようにビヤ樽状に変形し、プリーツフィルタ３２内の目詰まりが解消される。
【００４８】
濾過液槽１へ送られた濾過液は、供給ポンプ４の作動により工作機械Ｍへ送られるが一部は仕切板３をオーバーフローして、汚濁液槽２へ戻される。なお、供給ポンプ４、逆洗ポンプ５及び吸引ポンプ８の作動、停止等は、予め入力されたプログラムにしたがって、制御盤９によって自動的に操作される。
【００４９】
図７は、逆洗ポンプ５を作動させ濾過液を、一気に濾過装置６内に吐出してプリーツフィルタ３２の付着物Ｓを剥離、飛散させた状態を示し、プリーツフィルタ３２は、濾過時は吸引力Ｆにより縮小されているが、逆洗工程時は逆洗ポンプ５の高圧な膨張力Ｒにより、プリーツフィルタ３２の付着物Ｓは剥離、飛散し、逆洗作業は終了し、再び吸引ポンプ８を作動させて循環濾過作業は継続されると共に、剥離、飛散した付着物Ｓは、汚濁液槽２の底部に沈澱する。
【００５０】
図８に、濾過装置６の変形例が示されている。この変形例による濾過装置６では、上記した装置本体３１の内筒体４１に相当するものを欠いている。したがって、プリーツフィルタ３２は、内外双方の側で開放されている。また、プリーツフィルタ３２の上下の開口は、トップカバー４２及びボトムカバー４３によって閉鎖されている。分岐パイプ５２の先端は、プリーツフィルタ３２の内側で開口されている。なお、この変形例による汚濁液の濾過と逆洗は、上述の作動態様と略同様なので説明を省略する。
【００５１】
図９は、濾過装置６のさらなる変形例を示すものであって、大型の濾過装置６に適用することが好ましいものである。この変形例による濾過装置６は図８に示す濾過装置６に、パンチングメタル製補強筒９１を追加したものである。補強筒９１は、プリーツフィルタ３２に内側からあてがわれている。補強筒９１の上下端部は、端板７１、７２にプリーツフィルタ３２とともにそれぞれ埋め込まれかつ同端部と一体的に固定されている。なお、さらなる変形例による汚濁液の濾過と逆洗も、上述の作動態様と略同様なので説明を省略する。
【００５２】
図１０以降の図において、前後とは、図１０の左側を後、これと反対側を前といい、左右とは、後方より見て、その左右の側を左右（図１１の左右）というものとする。
【００５３】
沈澱物排出装置７は、汚濁液槽２内から槽外まで沈澱物（付着物）Ｓを搬送するためのコンベア１７２と、汚濁液槽２外でコンベア１７２から沈澱物Ｓを掻き取る可動スクレーパブレード７３と、ブレード７３が先端に取り付けられている上下揺動アーム７４と、汚濁液槽２の前方に配置されかつ掻き取った沈澱物Ｓを入れるための集塵ボックス１１を備えている。
【００５４】
コンベア１７２は、汚濁液槽２左右両側壁近くに相対するように立てられている左右一対の逆Ｌ字垂直板状フレーム１２１と、フレーム１２１の頂部に渡らされている駆動プーリ１２２と、フレーム１２１の底部に前後に間隔をおいて渡らされている前後一対の従動プーリ１２３、１２４と、これらのプーリ１２１、１２３、１２４に汚濁液槽２の内外にわたって巻回されているエンドレスベルト１２５と、駆動プーリ１２２の右端部に出力軸を連結している減速機付モータ１２６とを備えている。
【００５５】
前従動プーリ１２４のすぐ近くの後斜め上に位置して両フレーム１２１に左右一対のガイドプーリ１２７が取り付けられている。駆動プーリ１２２のすぐ近くの下方に位置して両フレーム１２１に左右一対の絞りプーリ１２８が取り付けられている。
【００５６】
ベルト１２５の搬送面には、多数の横桟１３１が一定間隔で設けられている。桟１３１は、ベルト１２５の搬送面の中央部分にだけあって、その両縁部は桟１３１の無い部分となっている。その桟１３１の無い部分がガイドプーリ１２７及び絞りプーリ１２８に巻回されるようになっている。
【００５７】
ベルト１２５は、送り側経路１３２及び戻り側経路１３３を有している。送り側経路１３２は、側方より見て、略逆Ｌ字をなして、後従動プーリ１２３からガイドプーリ１２７まで水平に伸びた前向き経路１３２Ａと、ガイドプーリ１２７から駆動プーリ１２２まで概ね垂直に伸びた上向き経路１３２Ｂとよりなる。戻り側経路１３３は、側方より見て、略逆Ｌ字をなして、駆動プーリ１２２から前従動プーリ１２４まで概ね垂直に伸びた下向き経路１３３Ａと、前従動プーリ１２４から後従動プーリ１２３まで水平に伸びた後向き経路１３３Ｂとよりなる。
【００５８】
可動スクレーパブレード７３は、左右方向に伸びた略垂直帯板状のもので、その上縁部を掻き刃１４１としている。駆動プーリ１２２に巻回されてその周囲を移動するベルト１２５の搬送面に掻き刃１４１が押圧されている。掻き刃１４１の押圧位置は、駆動プーリ１２２の軸線レベルのやや下方となっている。
【００５９】
アーム７４は、略水平姿勢をなすように前後方向にのび、かつ前端にブレード７３が渡された左右一対のアーム部材１４２よりなる。両アーム部材１４２の後端部は、左右方向に伸びた水平支持軸１４３に支持されている。支持軸１４３は、駆動プーリ１２２の後方斜め下に位置するようにフレーム１２１に渡されている。各アーム部材１４２の長さの中程には、上端を対応するフレーム１２１に掛け止めた引張コイルばね１４４の下端が掛け止められている。ばね１４４により、アーム７４は、上向きに揺動するように付勢されており、これが、ベルト１２５に対する掻き刃１４１の押圧力となっている。
【００６０】
フレーム１２１の頂部には送風ファン１５１が装備されている。送風ファン１５１は、ベルト上向き経路１３２Ｂの搬送面に向けられた下向き吹出口１５２を有している。
【００６１】
同上向き経路１３２Ｂのベルト裏面に押圧されるように水平帯板状第１〜第３固定スクレーパブレード１６１〜１６３が同上向き経路１３２Ｂにそって下から順に配置されている。これらの水平帯板状第１〜第３固定スクレーパブレード１６１〜１６３は、いずれもフレーム１２１に渡されている。第１固定スクレーパブレード１６１は、液中に没している。第２及び第３固定スクレーパブレード１６２、１６３は、液面より上方レベルに位置されている。
【００６２】
モータ１２６によって駆動プーリ１２２が、図１０中、時計方向に駆動される。これにより、ベルト１２５が移動させられる。ベルト１２５の移動速度は、０．５ｍ／ｍｉｎ以下であることが好ましい。移動速度を遅くすることにより、薬剤等を添加することなく、凝集作用、フロック形成が容易に行われ、１〜５ミクロン程度の小さな塵埃の場合、沈澱時間が長くなるが、この凝集作用で沈澱が促進されるので、短時間で容易に排出処理が可能となる。また塵埃を遅滞なく凝集し、沈澱物Ｓを排出するので、汚濁液の濃度が上がらず、フィルタ３２も負荷の掛からない濾過作業となる。したがって、プリーツフィルタ３２の耐用性がよくなる効果を奏する。さらに濾過液を汚濁液槽２に戻し、プリーツフィルタ３２で凝集作用のみ行い、コンベア１７２で凝集、沈澱物Ｓを排出する、バッチ処理法も可能となる。
【００６３】
汚濁液に含まれたスラッジ等は、時間の経過とともに沈澱していき、ベルト１２５の前向き経路１３２Ａ上において堆積されて沈澱物Ｓとなる。沈澱物Ｓは、前向き経路１３２Ａから上向き経路１３２Ｂに差し掛かると、桟１３１の上に集中して堆積される。桟１３１の上昇とともに沈澱物Ｓも上昇させられるが、この間に、沈澱物Ｓに含まれた水分は自重により流下して、汚濁液槽２に回収される。桟１３１上の沈澱物Ｓの含水量は、低いものとなっていく。
【００６４】
桟１３１上の沈澱物Ｓには、上昇させられる過程において、送風ファン１５１から風が吹き付けられ、これにより、同沈澱物Ｓの脱水が促進され、含水率の低い沈澱物Ｓの回収に貢献する。
【００６５】
一方、ベルト１２５の裏面側にも沈澱物Ｓが付着することが避けられないが、ベルト１２５の上向き経路１３２Ｂにおいて、第１〜第３固定スクレーパブレード１６１〜１６３によって、同沈澱物Ｓが掻き取られる。また、第３固定スクレーパブレード１６３は、水切りの役割も果たす。ベルト裏面に付着した沈澱物Ｓがそのまま駆動プーリ１２２のところに達すると、同沈澱物Ｓがベルト裏面と駆動プーリ１２２外面の間に挟まれることになる。そうすると、ベルト１２５が波打つ原因となって、可動スクレーパブレード７３による掻き取り動作に支障を来す。また、ブレード７３が蛇行させられる原因ともなる。
【００６６】
桟１３１上の沈澱物Ｓは、駆動プーリ１２２の周囲を移動し、駆動プーリ１２２を乗り越えようとして、ブレード７３のところに達すると、ブレード７３によって掻き取られる。この作動態様が図１２に詳細に示されている。
【００６７】
図１２（ａ）は、桟１３１上の沈澱物Ｓがブレード７３のところに至る直前の状態を示すもので、ブレード７３の掻き刃１４１は、ベルト１２５搬送面の桟１３１の無い部分に押圧されている。この状態で、ブレード７３は、垂直線からわずかだけ前方に倒れるように傾斜させられている。またアーム７４は、先端部を基端部よりも若干高くするように傾斜させられている。
【００６８】
図１２（ｂ）に示すように、桟１３１がブレード７３のところに達すると、桟１３１上の基部にブレード７３の掻き刃１４１が当接させられる。この状態で、桟１３１は、駆動プーリ１２２の軸線と同レベルで水平姿勢となっている。掻き刃１４１は桟１３１に付着した沈澱物Ｓに食い込んでいる。このままの状態で桟１３１が移動していくと、桟１３１によってブレード７３は、下向きに揺動させられる。これによりブレード７３は、下向きに移動しながら、アーム７４が傾斜された分だけ、前向きに移動させられる。一方、絞りプーリ１２８によってベルト１２５がしぼられていることにより、桟１３１がブレード７３に当接した後は、桟１３１は下向きに移動しながら、後向きに移動させられる。桟１３１及びブレード７３の前後逆方向に離れていく相対的移動の結果、ブレード７３の掻き刃１４１は、桟１３１と接触させられたままその基部から先端方向に滑って行き、桟１３１に付着していた沈澱物Ｓは掻き取られていく。掻き取られた沈澱物Ｓは、集塵ボックス１１内に落下する。
【００６９】
やがて、図１２（ｃ）に示すように、桟１３１は、ブレード７３の掻き刃１４１を乗り越える。図１２（ｂ）及び図１２（ｃ）に、桟移動経路Ｐが鎖線で示されている。図１２（ｂ）では、ブレード７３は桟移動経路Ｐ内に進入させられた掻取位置に位置させられている。図１２（ｃ）では、ブレード７３が桟移動経路Ｐから退去させられた退去位置に位置させられている。
【００７０】
ブレード７３の位置は、上記の位置に限定されない。またアーム７４の位置は、桟１３１がブレード７３を適切に回避し得る位置に設定されるべきである。また、アーム７４を付勢する手段としては、ばね１４４に代えて、錘を用いるようにしてもよい。
【図面の簡単な説明】
【００７１】
【図１】は、本発明に係る、汚濁液連続処理方法における工程を説明するフロー図である。
【図２】（ａ）は、濾過工程における、供給ライン、濾過ラインの概略説明図である。（ｂ）は、逆洗工程における、逆洗ラインの概略説明図である。
【図３】は、本発明の実施形態に係る汚濁液連続処理システムの概略説明図である。
【図４】は、濾過装置の縦断面図である。
【図５】は、同一部を切欠した横断面図である。
【図６】は、同濾過装置の運転動作パターンの説明図である。
【図７】は、逆洗工程時におけるプリーツフィルタの動作説明図である。
【図８】は、変形例による濾過装置の図４相当の縦断面図である。
【図９】は、さらなる変形例による濾過装置の図８相当の縦断面図である。
【図１０】は、沈澱物排出装置の縦断面図である。
【図１１】は、図１０における１１−１１線横断面図である。
【図１２】（ａ）、（ｂ）、（ｃ）は、排出装置におけるブレードによる掻き取り動作説明図である。
【符号の説明】
【００７２】
Ｓ１                                  濾過工程
Ｓ２                                  逆洗工程
Ｓ３                                  沈澱工程
Ｓ４                                  排出工程
Ｔ                                    処理液槽
Ｍ                                    工作機械
Ｓ                                    沈澱物
Ｐ                                    桟移動経路
１                                    濾過液槽      
２                                    汚濁液槽      
３                                    仕切板    
４                                    供給ポンプ
５                                    逆洗ポンプ
６                                    濾過装置    
７                                    沈澱物排出装置
８                                    吸引ポンプ
９                                    制御盤
１０                                  コンプレッサ
１１                                  集塵ボックス
１２                                  濾過液パイプ
１３                                  供給パイプ
１４                                  濾過液管（逆洗パイプ）
２６                                  空気逆洗パイプ
３１                                  装置本体
３２                                  プリーツフィルタ  
４１                                  内筒体
５１                                  連絡通路
６２、６４                            保持溝
７１、７２                            端板
１７２                                コンベア
７３                                  スクレーパブレード
７４                                  アーム部材
１２５                                ベルト
１３１                                桟
ＫＴ                                  逆洗工程時間／濾過工程
ＴＲ                                  逆洗工程を行なう時間（分）
ＴＯ                                  濾過工程を行なう時間（分）
【図１】
2007275721.tif 000003
【図２】
2007275721.tif 000004
【図３】
2007275721.tif 000005
【図４】
2007275721.tif 000006
【図５】
2007275721.tif 000007
【図６】
2007275721.tif 000008
【図７】
2007275721.tif 000009
【図８】
2007275721.tif 000010
【図９】
2007275721.tif 000011
【図１０】
2007275721.tif 000012
【図１１】
2007275721.tif 000013
【図１２】
2007275721.tif 000014